(57)【要約】【課題】カーテンウォールユニットが受ける風荷重によって過剰なせん断応力が発生することを抑制できるカーテンウォールを提供すること。【解決手段】カーテンウォール１は、建物躯体に吊下げ支持可能なカーテンウォールユニット１０Ａ，１０Ｂと、これらを面外方向および面内方向に固定するスリーブジョイント７０とを備える。上側のカーテンウォールユニット１０Ａおよび下側のカーテンウォールユニット１０Ｂは、上枠３０、下枠４０および左右の縦枠６０を枠組みした枠内にパネル２１，２２を配置してそれぞれ構成される。スリーブジョイント７０の下側は、下側のカーテンウォールユニット１０Ｂの縦枠６０内に差し込まれ、スリーブジョイント７０の上側は、上側のカーテンウォールユニット１０Ａの縦枠６０内に差し込まれる。スリーブジョイント７０の下側差込み部分は、縦枠６０とともにファスナー取付用のブラケット８１に取り付けられる。【選択図】図３
2017106198.tif 000002
【特許請求の範囲】
【請求項１】
建物躯体に吊下げ支持可能な複数のカーテンウォールユニットと、前記複数のカーテンウォールユニットのうち上側のカーテンウォールユニットと下側のカーテンウォールユニットとを面外方向および面内方向に固定するジョイント部材とを備え、
前記上側のカーテンウォールユニットおよび前記下側のカーテンウォールユニットは、上横枠、下横枠および左右の縦枠を枠組みした枠内にパネルを配置してそれぞれ構成され、
前記ジョイント部材の下側は、前記下側のカーテンウォールユニットの縦枠上部に差し込まれ、前記ジョイント部材の上側は、前記上側のカーテンウォールユニットの縦枠下部に差し込まれ、
前記ジョイント部材のうち前記下側のカーテンウォールユニットの縦枠に差し込まれた下側差込み部分は、前記縦枠とともにファスナー取付用のブラケットに取り付けられる
ことを特徴とするカーテンウォール。
【請求項２】
請求項１に記載のカーテンウォールにおいて、
前記上横枠および前記下横枠間には、室外側外気と等圧となる等圧空間が形成され、
前記縦枠には、前記等圧空間よりも室内側に位置するホロー部が形成され、
前記ジョイント部材は、前記ホロー部に差し込まれる
ことを特徴とするカーテンウォール。
【請求項３】
請求項２に記載のカーテンウォールにおいて、
前記上側のカーテンウォールユニットの下横枠および前記下側のカーテンウォールユニットの上横枠には、互いに当接する気密材が取り付けられ、
前記縦枠には、前記気密材よりも室内側に位置するとともに前記ジョイント部材が差し込まれるホロー部が形成され、
前記ジョイント部材の上端面には、前記縦枠の見付け方向および長手方向に対して傾斜する傾斜面が形成され、
前記傾斜面の室外側縁部は室内側縁部よりも下方に位置する
ことを特徴とするカーテンウォール。
【請求項４】
請求項１から請求項３のいずれか一項に記載のカーテンウォールにおいて、
前記ジョイント部材の下側差込み部分は、前記カーテンウォールのスパンドレル部に配置される
ことを特徴とするカーテンウォール。
【請求項５】
請求項１から請求項４のいずれか一項に記載のカーテンウォールにおいて、
前記ジョイント部材は、前記下側のカーテンウォールユニットの縦枠上部に対して固着具によって位置決めされている
ことを特徴とするカーテンウォール。
【請求項６】
請求項１から請求項５のいずれか一項に記載のカーテンウォールにおいて、
前記ジョイント部材は、四つの縦片部によって断面矩形状に形成され、
前記四つの縦片部のうち少なくとも互いに対向する二つの縦片部には、前記縦枠の内面に当接する突部がそれぞれ形成される
ことを特徴とするカーテンウォール。
【請求項７】
請求項６に記載のカーテンウォールにおいて、
前記ジョイント部材には、前記左右の縦枠のうちの一方側の縦枠に差し込まれる第一ジョイント部材と、前記左右の縦枠のうちの他方側の縦枠に差し込まれる第二ジョイント部材とがあり、
前記第一ジョイント部材に前記突部が形成される
ことを特徴とするカーテンウォール。
【発明の詳細な説明】
【技術分野】
【０００１】
本発明は、建物の外壁面を構成するカーテンウォールに関する。
【背景技術】
【０００２】
従来、建物外壁面に上下左右に並べて配置される複数のカーテンウォールユニットによって構成されるカーテンウォールが知られている（特許文献１参照）。複数のカーテンウォールユニットは、上横枠、下横枠、左右の縦枠およびガラスパネルをそれぞれ備えており、左右の縦枠の上部寄りが建物躯体に固定されたファスナーに支持されている。
【０００３】
カーテンウォールユニットの上横枠には上向きの突部を有した第１部品が取り付けられ、下横枠には下向きの凹部を有した第２部品が取り付けられており、第１部品の突部と第２部品との凹部とが嵌合している。この嵌合部によって上側のカーテンウォールユニットと下側のカーテンウォールユニットとの面外方向および面内方向における相対変位を規制している。
【先行技術文献】
【特許文献】
【０００４】
【特許文献１】特開２００９−２２１７８８号公報
【発明の概要】
【発明が解決しようとする課題】
【０００５】
ところで、特許文献１に記載のカーテンウォールでは、前述したように、上横枠に取り付けられた第１部品の突部と、下横枠に取り付けられた第２部品の凹部とが嵌合することによって、上側のカーテンウォールユニットと下側のカーテンウォールユニットとの相対変位が規制される。
このため、上側のカーテンウォールユニットが受ける風荷重は、その下横枠から連結部品を介して下側のカーテンウォールユニットの上横枠に伝達され、そして、ファスナーに支持される下側のカーテンウォールユニットの縦枠に伝達される。このため、風荷重が各縦枠から下横枠に伝達される際または上横枠から縦枠に伝達される際に、縦枠と上横枠との取付部分や縦枠と下横枠との取付部分に過剰なせん断力が発生するおそれがある。
【０００６】
本発明の目的は、カーテンウォールユニットが受ける風荷重によって過剰なせん断応力が発生することを抑制できるカーテンウォールを提供することにある。
【課題を解決するための手段】
【０００７】
本発明のカーテンウォールは、建物躯体に吊下げ支持可能な複数のカーテンウォールユニットと、前記複数のカーテンウォールユニットのうち上側のカーテンウォールユニットと下側のカーテンウォールユニットとを面外方向および面内方向に固定するジョイント部材とを備え、前記上側のカーテンウォールユニットおよび前記下側のカーテンウォールユニットは、上横枠、下横枠および左右の縦枠を枠組みした枠内にパネルを配置してそれぞれ構成され、前記ジョイント部材の下側は、前記下側のカーテンウォールユニットの縦枠上部に差し込まれ、前記ジョイント部材の上側は、前記上側のカーテンウォールユニットの縦枠下部に差し込まれ、前記ジョイント部材のうち前記下側のカーテンウォールユニットの縦枠に差し込まれた下側差込み部分は、前記縦枠とともにファスナー取付用のブラケットに取り付けられることを特徴とする。
【０００８】
本発明のカーテンウォールによれば、ジョイント部材が上側のカーテンウォールユニットの縦枠下部と下側のカーテンウォールユニットの縦枠上部とに差し込まれるため、上横枠および下横枠間に他の面外・面内方向の固定部品を設置する必要がない。また、ジョイント部材の下側差込み部分がファスナー取付用のブラケットに取り付けられるため、上側のカーテンウォールユニットが受ける風荷重が当該上側のカーテンウォールユニットの縦枠からジョイント部材、ブラケットを介してファスナー側に伝達される。このため、上側のカーテンウォールユニットの下横枠や下側のカーテンウォールユニットの上横枠に前記風荷重が伝達されることがなくなり、縦枠と下横枠との取付部分や縦枠と上横枠との取付部分に過剰なせん断応力が発生することを抑制できる。
また、ジョイント部材の下側差込み部分が縦枠とともにブラケットに取り付けられることによって、ジョイント部材を縦枠に対して位置決めできる。
【０００９】
本発明のカーテンウォールでは、前記上横枠および前記下横枠間には、室外側外気と等圧となる等圧空間が形成され、前記縦枠には、前記等圧空間よりも室内側に位置するホロー部が形成され、前記ジョイント部材は、前記ホロー部に差し込まれることが好ましい。
このような構成によれば、上向きの突部を有した第１部品を下横枠に取り付け、下向きの凹部を有した第２部品を上横枠に取り付け、第１部品の突部と第２部品の凹部とを嵌合させる面外・面内方向の固定部品を構成する必要をなくすことができる。これにより、前述した連結部品によって等圧空間が分断されることがなく、上横枠および下横枠の長手方向に連続した等圧空間につながる外気導入口を形成するだけでよい。従って、等圧空間が分断された各空間に応じた数の外気導入口を形成する必要がなくなり、外気導入口を減らすことができる。
【００１０】
本発明のカーテンウォールでは、前記上側のカーテンウォールユニットの下横枠および前記下側のカーテンウォールユニットの上横枠には、互いに当接する気密材が取り付けられ、前記縦枠には、前記気密材よりも室内側に位置するとともに前記ジョイント部材が差し込まれるホロー部が形成され、前記ジョイント部材の上端面には、前記縦枠の見付け方向および長手方向に対して傾斜する傾斜面が形成され、前記傾斜面の室外側縁部は室内側縁部よりも下方に位置することが好ましい。
このような構成によれば、前述した傾斜面を形成することで、ジョイント部材を上側のカーテンウォールユニットの縦枠下部に差し込む際に、気密材が縦枠とジョイント部材との間に挟みこまれにくくでき、施工性を向上できる。
また、縦枠のホロー部が気密材による止水ラインよりも室内側に位置するため、当該ホロー部に雨水等が浸入することを抑制できる。
【００１１】
本発明のカーテンウォールでは、前記ジョイント部材の下側差込み部分は、前記カーテンウォールのスパンドレル部に配置されることが好ましい。
このような構成によれば、スパンドレル部の室内側にあるファスナーに近い位置にジョイント部材の下側差込み部分を配置でき、ブラケットを介したファスナーへの取付強度を向上できる。
【００１２】
本発明のカーテンウォールでは、前記ジョイント部材は、前記下側のカーテンウォールユニットの縦枠上部に対して固着具によって位置決めされていることが好ましい。
このような構成によれば、ジョイント部材の下側差込み部分を縦枠とともにブラケットに本取付する場合、ジョイント部材が縦枠上部に固着具によって位置決めされているため、ジョイント部材の縦枠に対する位置合わせ作業を省略でき、前記本取付を容易に行うことができる。
【００１３】
本発明のカーテンウォールでは、前記ジョイント部材は、四つの縦片部によって断面矩形状に形成され、前記四つの縦片部のうち少なくとも互いに対向する二つの縦片部には、前記縦枠の内面に当接する突部がそれぞれ形成されることが好ましい。
このような構成によれば、ジョイント部材の各突部が縦枠の内面に当接することで当該ジョイント部材の縦枠への接触面積を減少できる。このため、ジョイント部材を縦枠内へ容易に差し込むことができる。また、ジョイント部材の各突部を縦枠の内面に当接することで、上側のカーテンウォールユニットおよび下側のカーテンウォールユニットの縦枠同士の遊びを減少でき、縦枠同士をカーテンウォールユニットの面外方向および面内方向のうちの少なくとも一方の方向において精度よく位置決めできる。
【００１４】
本発明のカーテンウォールでは、前記ジョイント部材には、前記左右の縦枠のうちの一方側の縦枠に差し込まれる第一ジョイント部材と、前記左右の縦枠のうちの他方側の縦枠に差し込まれる第二ジョイント部材とがあり、前記第一ジョイント部材に前記突部が形成されることが好ましい。
このような構成によれば、第一ジョイント部材の突部を縦枠の内面に当接することで、左右の縦枠のうちの一方の縦枠同士を精度よく位置決めできるとともに、前記突部がない第二ジョイント部材を左右の縦枠のうちの他方側に配置することで縦枠との適度な遊びを形成できる。このため、上側のカーテンウォールユニットと下側のカーテンウォールユニットとに製作誤差や位置誤差があっても、第一ジョイント部材および第二ジョイント部材の双方とも各縦枠に容易に差し込むことができる。
【発明の効果】
【００１５】
本発明によれば、カーテンウォールユニットが受ける風荷重によって過剰なせん断応力が発生することを抑制できるカーテンウォールを提供できる。
【図面の簡単な説明】
【００１６】
【図１】本発明の実施形態に係るカーテンウォールを示す外観姿図。
【図２】前記実施形態に係るカーテンウォールを示す縦断面図。
【図３】前記実施形態に係るカーテンウォールの要部を示す縦断面図。
【図４】前記実施形態に係るカーテンウォールの要部を示す横断面図。
【発明を実施するための形態】
【００１７】
［本実施形態の構成］
以下、本発明の実施形態を図面に基づいて説明する。
図１，２は、建物２を構成する本実施形態に係るカーテンウォール１を示している。建物２は、梁３と、梁３で支持される床スラブ４とを備えている。床スラブ４の下部には吊り天井５が設置されている。
カーテンウォール１は、床スラブ４に吊られて連結された複数のカーテンウォールユニット１０が上下左右に複数並設されることによって構成されている。
【００１８】
各カーテンウォールユニット１０は、枠体２０と、パネル２１，２２とを備える段窓によって構成されている。
枠体２０は、アルミ押出形材によって形成された上枠３０（上横枠）、下枠４０（下横枠）、無目５０および左右の縦枠６０を縦枠勝ちとして枠組みして構成されている。上枠３０、無目５０および左右の縦枠６０は、上側の開口を形成し、この開口にパネル２１が配置されている。下枠４０、無目５０および左右の縦枠６０は、下側の開口を形成し、この開口にパネル２２が配置されている。本実施形態では、パネル２１は単層ガラスパネルによって構成されており、パネル２２は複層ガラスパネルによって構成されている。
【００１９】
上枠３０は、図３に示すように、上枠本体３１と、押縁３２とを備えている。上枠本体３１は、パネル対向片部３１１と、内側見込み片部３１２と、外側見込み片部３１３と、室内見付け片部３１４とを有している。
【００２０】
パネル対向片部３１１は、上枠３０の見付け方向に沿って配置されており、その室外面には、パネル２１の室内面に当接するガスケット１１が装着されている。このパネル対向片部３１１には、押縁３２と係合している係合片部３１５が連続している。
内側見込み片部３１２および外側見込み片部３１３はパネル対向片部３１１に連続している。室内見付け片部３１４は、内側見込み片部３１２および外側見込み片部３１３に連続している。
【００２１】
外側見込み片部３１３には、先端にシール材が装着された立上り片部３１３Ａが形成されており、当該立上り片部３１３Ａよりも室内側に間隔を隔てた位置にホローを有する気密材１３が装着されている。立上り片部３１３Ａおよび気密材１３は、上枠３０の長手方向に沿って延びている。
内側見込み片部３１２の室内側部分には、耐火パネル１５の上縁部が取り付けられている。
【００２２】
押縁３２は、断面略Ｌ字状に形成されており、その室外側先端部にはパネル２１の室外面に当接するガスケット１８が装着されている。
【００２３】
下枠４０は、図３に示すように、下枠本体４１と、押縁４２とを備えている。下枠本体４１は、パネル対向片部４１１と、内側見込み片部４１２と、外側見込み片部４１３と、室内見付け片部４１４とを有している。
【００２４】
パネル対向片部４１１は、下枠４０の見付け方向に沿って配置されており、その室外面には、パネル２２の室内面に当接するガスケット１１が装着されている。このパネル対向片部４１１には、押縁４２と係合している係合片部４１５が連続している。
内側見込み片部４１２および外側見込み片部４１３はパネル対向片部４１１に連続している。室内見付け片部４１４は、内側見込み片部４１２および外側見込み片部４１３に連続している。
【００２５】
外側見込み片部４１３には、二つの垂下片部４１３Ａが形成されており、当該垂下片部４１３Ａよりも室内側に間隔を隔てた位置に気密材１３が装着されている。
二つの垂下片部４１３Ａ間には、上枠３０の立上り片部３１３Ａが配置され、当該二つの垂下片部４１３Ａに立上り片部３１３Ａのシール材が密接している。また、上枠３０および下枠４０の気密材１３同士は密接しており、立上り片部３１３Ａおよび垂下片部４１３Ａと気密材１３との間に等圧空間４５が形成されている。
外側見込み片部４１３のうち垂下片部４１３Ａおよび気密材１３間の部分と垂下片部４１３Ａよりも室外側部分とには、室外側外気を等圧空間４５に導入する外気導入口４３が形成されている。
【００２６】
押縁４２は、断面略Ｌ字状に形成されており、その室外側先端部にはパネル２２の室外面に当接するガスケット１８が装着されている。また、押縁４２には、押縁３２に当接する室外水密材１４が装着されている。
【００２７】
縦枠６０は、図４に示すように、縦枠本体６１と、押縁６２とを備えている。縦枠本体６１は、上枠３０から下枠４０まで延びた通し材であり、縦枠見込み片部６３と、縦枠見込み片部６３の室外側に形成されたパネル受け部６４と、縦枠見込み片部６３の室内側に形成されたホロー形成部６５とを有している。
【００２８】
パネル受け部６４は、縦枠見込み片部６３に連続しているパネル対向片部６４１と、パネル対向片部６４１に連続している係合片部６４２とを有している。
パネル対向片部６４１は、縦枠６０の見込み方向に沿って配置されており、ガスケット保持具６４３が取り付けられている。ガスケット保持具６４３には、パネル２１の室内面を受けるガスケット１１が係合している。
係合片部６４２は、パネル対向片部６４１の見付け方向における外側端部から室外側に突出して形成されており、押縁６２と係合している。
【００２９】
縦枠見込み片部６３には、装着部６３１，６３２が形成されている。装着部６３１はパネル受け部６４およびホロー形成部６５間に配置されており、装着部６３２は、装着部６３１およびホロー形成部６５間であって装着部６３１に対して間隔を隔てて配置されている。装着部６３１には、ヒレを有した水密材１２が装着されており、装着部６３２には気密材１３が装着されている。これらの水密材１２および気密材１３は、縦枠６０の長手方向に沿って延びて配置されている。
【００３０】
縦枠見込み片部６３の上端部には、取付けねじ６６によって上枠３０の端部が取り付けられており、縦枠見込み片部６３の下端部には、取付けねじ６６によって下枠４０の端部が取り付けられている。また、縦枠見込み片部６３の室内側部分には、取付金具を介して耐火パネル１５が取り付けられている。
【００３１】
ホロー形成部６５は、図４に示すように中空であって断面略矩形状に形成されている。また、ホロー形成部６５は、縦枠見込み片部６３の室内側部分に連続する室内見付け片部６５１を有している。このホロー形成部６５によって形成されるホロー部６５Ａは断面矩形状である。
【００３２】
押縁６２は、断面略Ｌ字状に形成されており、その室外側先端部にはガスケット１８が装着されている。押縁６２のうち無目５０よりも上側部分では、ガスケット１８がパネル２１の室外面に当接しており、押縁６２のうち無目５０よりも下側部分では、ガスケット１８がパネル２２の室外面に当接している。
【００３３】
図４に示すように、左右に並設されるカーテンウォールユニット１０の縦枠６０の水密材１２同士および気密材１３同士は密接しており、水密材１２および気密材１３間に前述した上枠３０、下枠４０の等圧空間４５に連続する等圧空間６７を形成している。
また、ホロー部６５Ａは、等圧空間を形成する気密材１３よりも室内側に配置されている。つまり、ホロー部６５Ａは、気密材１３による止水ラインよりも室内側に位置している。
【００３４】
複数のカーテンウォールユニット１０のうち上側（上階側）のカーテンウォールユニット１０Ａと下側（下階側）のカーテンウォールユニット１０Ｂとは、図３，４に示すように、ジョイント部材であるスリーブジョイント７０（７０Ａ，７０Ｂ）によって面外方向および面内方向に位置決め固定されている。スリーブジョイント７０Ａ（第一ジョイント部材）は左右の縦枠６０の一方側に配置され、スリーブジョイント７０Ｂ（第二ジョイント部材）は左右の縦枠６０の他方側に配置されている。
【００３５】
スリーブジョイント７０は、上下方向に延びて配置され、上側部分がカーテンウォールユニット１０Ａの縦枠６０のホロー部６５Ａに差し込まれて配置され、下側部分がカーテンウォールユニット１０Ｂの縦枠６０のホロー部６５Ａに差し込まれて配置されている。
【００３６】
スリーブジョイント７０Ａは、図４に示すように四つの縦片部７１〜７４によって断面矩形状に形成されている。
縦片部７１の両端部には室外側に突出した突部７１１が形成されており、縦片部７３の両端部には室内側に突出した突部７３１が形成されている。縦片部７２の両端部には、縦枠６０の見付け方向内側に突出した突部７２１が形成されており、縦片部７４の両端部には、縦枠６０の見付け方向外側に突出した突部７４１が形成されている。
突部７１１，７２１，７３１，７４１は断面半円形状に形成されている。突部７１１，７３１の径寸法は突部７２１，７４１の径寸法よりも大きく形成されている。
突部７１１，７２１，７３１，７４１は、ホロー形成部６５の内面にそれぞれ当接している。
【００３７】
スリーブジョイント７０Ａの上側部分は、その上端面７５が下枠４０の内側見込み片部４１２のある高さ位置に配置されるまでホロー部６５Ａに差し込まれている。なお、スリーブジョイント７０Ａの上側差込み部分は、カーテンウォールユニット１０Ａ，１０Ｂが面外方向の風荷重を受けて多少揺動しても縦枠６０から外れない程度の深さ範囲内で浅く差し込まれている。
スリーブジョイント７０Ａのホロー部６５Ａへの下側差込み部分は、カーテンウォールのスパンドレル部に配置され、スリーブジョイント７０Ａのホロー部６５Ａへの上側差込み部分よりも長く、下側のカーテンウォールユニット１０Ｂの上枠３０よりも下方に延びて配置されている。
スリーブジョイント７０Ａの上端面７５には、縦枠６０の見付け方向および長手方向に対して傾斜した傾斜面７６が形成されており、この傾斜面７６の室外側縁部は室内側縁部よりも下方に位置している。
【００３８】
なお、スリーブジョイント７０Ｂは、前述したスリーブジョイント７０Ｂと同様に形成されているので、図に適宜同符号を付す。
【００３９】
前述した各スリーブジョイント７０の下側差込み部分は、図３に示すように、縦枠６０の室内見付け片部６５１とともにファスナー取付用のブラケット８１に裏板８２を用いて取付けボルト８３によってボルト共締めされている。
ブラケット８１は、建物２の躯体に取り付けられたファスナー９０の上下方向に延びた長孔９１に挿通された固定ボルト８４によってファスナー９０に固定されている。また、ブラケット８１には、上下方向に沿って配置された高さ調整ねじ８５が螺合しており、この高さ調整ねじ８５の先端がファスナー９０の上部に当接している。
このようにブラケット８１がファスナー９０に取り付けられることによって、各カーテンウォールユニット１０は、建物２の躯体（建物躯体）に吊下げ支持されている。
なお、カーテンウォールユニット１０の高さ位置は、固定ボルト８４を緩め、高さ調整ねじ８５を回転することによって調整可能である。
【００４０】
［本実施形態の施工］
以下、本発明の実施形態に係るカーテンウォール１の施工について説明する。
まず、下側のカーテンウォールユニット１０Ｂの左右の縦枠６０にスリーブジョイント７０Ａ，７０Ｂをそれぞれ差し込み、ねじ、ボルト、ピン等の固着具によってスリーブジョイント７０Ａ，７０Ｂを各縦枠６０に対して位置決めし、仮固定状態とする。続いてブラケット８１にボルト共締めする。次にブラケット８１をファスナー９０に取り付けることによって、下側のカーテンウォールユニット１０Ｂを吊下げ支持する。
次に、上側のカーテンウォールユニット１０Ａをスリーブジョイント７０Ａ，７０Ｂに差し込み、カーテンウォールユニット１０Ａをファスナー９０に取り付けて吊下げ支持する。
このようにして、カーテンウォール１を構成し、カーテンウォールユニット１０Ａ，１０Ｂの位置決めを行う。ここで、スリーブジョイント７０Ａ，７０Ｂの突部７１１，７２１，７３１，７４１がホロー形成部６５の内面に当接するので、スリーブジョイント７０Ａによって下側のカーテンウォールユニット１０Ｂに対する上側のカーテンウォールユニット１０Ａの面外方向および面内方向における位置決めを精度よく行える。
【００４１】
［本実施形態の効果］
（１）本実施形態によれば、カーテンウォール１は、建物２の躯体に吊下げ支持可能な複数のカーテンウォールユニット１０と、複数のカーテンウォールユニット１０のうち上側のカーテンウォールユニット１０Ａと下側のカーテンウォールユニット１０Ｂとを面外方向および面内方向に固定するスリーブジョイント７０とを備え、カーテンウォールユニット１０Ａ，１０Ｂは、上枠３０、下枠４０および左右の縦枠６０を枠組みした枠内にパネル２１，２２を配置してそれぞれ構成され、スリーブジョイント７０の下側は、カーテンウォールユニット１０Ｂの縦枠６０内に差し込まれ、スリーブジョイント７０の上側は、カーテンウォールユニット１０Ａの縦枠６０内に差し込まれ、スリーブジョイント７０のうちカーテンウォールユニット１０Ｂの縦枠６０に差し込まれた下側差込み部分は、縦枠６０とともにファスナー取付用のブラケット８１に取り付けられることを特徴とする。
上記構成を有するため、スリーブジョイント７０がカーテンウォールユニット１０Ａ，１０Ｂの各縦枠６０に差し込まれるため、上枠３０および下枠４０間に他の面外・面内方向の固定部品を設置する必要がない。また、スリーブジョイント７０の下側差込み部分がファスナー取付用のブラケット８１に取り付けられるため、上側のカーテンウォールユニット１０Ａが受ける風荷重が当該カーテンウォールユニット１０Ａの縦枠６０からスリーブジョイント７０、ブラケット８１を介してファスナー９０側に伝達される。このため、上側のカーテンウォールユニット１０Ａの下枠４０や下側のカーテンウォールユニット１０Ｂの上枠３０に過剰な風荷重が伝達されることがなくなり、縦枠６０と下枠４０との取付部分や縦枠６０と上枠３０との取付部分に過剰なせん断応力が発生することを抑制できる。
また、スリーブジョイント７０の下側差込み部分が縦枠６０とともにブラケット８１に取り付けられることによって、スリーブジョイント７０を縦枠６０に対して位置決めできる。
さらに、本実施形態では、以下の各効果を発揮できる。
（２）上枠３０および下枠４０間には、室外側外気と等圧となる等圧空間４５が形成され、縦枠６０には、等圧空間４５よりも室内側に位置するホロー部６５Ａが形成され、スリーブジョイント７０は、ホロー部６５Ａに差し込まれる。
このため、例えば、上向きの突部を有した第１部品を下枠４０に取り付け、下向きの凹部を有した第２部品を上枠３０に取り付け、第１部品の突部と第２部品の凹部とを嵌合させる面外・面内方向の固定部品を構成する必要をなくすことができる。これにより、前述した連結部品によって等圧空間４５が分断されることがなく、上枠３０および下枠４０の長手方向に連続した等圧空間４５につながる外気導入口４３を形成するだけでよい。従って、等圧空間４５が分断された各空間に応じた数の外気導入口４３を形成する必要がなくなり、外気導入口４３を減らすことができる。
（３）スリーブジョイント７０の下側差込み部分は、スパンドレル部に配置されるので、スパンドレル部の室内側にあるファスナー９０に近い位置にスリーブジョイント７０の下側差込み部分を配置でき、ブラケット８１を介したファスナー９０への取付強度を向上できる。
（４）スリーブジョイント７０は、下側のカーテンウォールユニット１０Ｂの縦枠６０の上部に対して固着具によって位置決めされている。このため、スリーブジョイント７０の下側差込み部分を縦枠６０とともにブラケット８１に本取付する場合、スリーブジョイント７０が縦枠６０の上部に固着具によって位置決めされているため、スリーブジョイント７０の縦枠６０に対する位置合わせ作業を省略でき、前述した本取付を容易に行うことができる。
（５）上側のカーテンウォールユニット１０Ａの下枠４０および下側のカーテンウォールユニット１０Ｂの上枠３０には、互いに当接する気密材１３が取り付けられ、縦枠６０には、気密材１３よりも室内側に位置するとともにスリーブジョイント７０が差し込まれるホロー部６５Ａが形成され、スリーブジョイント７０の上端面７５には、縦枠６０の見付け方向および長手方向に対して傾斜する傾斜面７６が形成され、傾斜面７６の室外側縁部は室内側縁部よりも下方に位置する。
このため、前述した傾斜面７６を形成することで、スリーブジョイント７０を上側のカーテンウォールユニット１０Ａの縦枠６０のホロー部６５Ａに差し込む際に、気密材１３が縦枠６０とスリーブジョイント７０との間に挟みこまれにくくでき、施工性を向上できる。
また、縦枠６０のホロー部６５Ａが気密材１３による止水ラインよりも室内側に位置するため、当該ホロー部６５Ａに雨水等が浸入することを抑制できる。
（６）スリーブジョイント７０は、四つの縦片部７１〜７４によって断面矩形状に形成され、縦片部７１〜７４には、ホロー形成部６５の内面に当接する突部７１１，７２１，７３１，７４１がそれぞれ形成される。
このため、スリーブジョイント７０の突部７１１，７２１，７３１，７４１がホロー形成部６５の内面に当接することで当該スリーブジョイント７０の縦枠６０への接触面積を減少できる。このため、スリーブジョイント７０を縦枠６０内へ容易に差し込むことができる。また、スリーブジョイント７０の突部７１１，７２１，７３１，７４１をホロー形成部６５の内面に当接することで、カーテンウォールユニット１０Ａ，１０Ｂの縦枠６０同士の遊びを減少でき、縦枠６０同士を精度よく位置決めできる。
（７）スリーブジョイント７０には、左右の縦枠６０のうちの一方側の縦枠６０に差し込まれるスリーブジョイント７０Ａと、左右の縦枠６０のうちの他方側の縦枠６０に差し込まれるスリーブジョイント７０Ｂとがあり、スリーブジョイント７０Ａ，７０Ｂに突部７１１，７２１，７３１，７４１が形成される。
このため、スリーブジョイント７０Ａ，７０Ｂの突部７１１，７２１，７３１，７４１をホロー形成部６５の内面に当接することで、上下の各縦枠６０同士を精度よく位置決めできる。
【００４２】
［変形例］
本発明は、以上の実施形態で説明した構成のものに限定されず、本発明の目的を達成できる範囲での変形例は、本発明に含まれる。
例えば、前記実施形態では、スリーブジョイント７０の上端面７５に傾斜面７６が形成されているが、これに限られず、傾斜面７６を形成せずに水平方向に平坦な上端面７５だけを形成してもよい。
【００４３】
前記実施形態では、中空のスリーブジョイント７０を採用しているが、これに限られず、中実のジョイント部材を採用してもよい。この場合には、ブラケット８１は裏板８２を用いずに取付けボルト８３がジョイント部材の下側差込み部分に螺合する。
【００４４】
前記実施形態では、スリーブジョイント７０の上端面７５は、下枠４０の内側見込み片部４１２のある高さ位置に配置されているが、これに限られず、スリーブジョイント７０の上側差込み部分は、下枠４０よりも上方まで差し込まれていてもよい。
【００４５】
前記実施形態では、スリーブジョイント７０Ａにはホロー形成部６５の内面に当接する突部７１１，７２１，７３１，７４１が各縦片部７１〜７４の両端部に形成されているが、これに限られず、各縦片部７１〜７４の各端部から離間した位置に形成されていてもよい。
【００４６】
前記実施形態では、スリーブジョイント７０の四つの縦片部７１〜７４には、ホロー形成部６５の内面に当接する突部７１１，７２１，７３１，７４１がそれぞれ形成されているが、これに限られない。
例えば、互いに対向する縦片部７１，７３の突部７１１，７３１を形成し、縦片部７２，７４の突部７２１，７４１の構成を省略してもよい。この場合には、スリーブジョイント７０の突部７１１，７３１がホロー形成部６５の内面に当接することで、カーテンウォールユニット１０Ａ，１０Ｂの縦枠６０同士の面外方向における遊びを減少できる。
また、例えば、互いに対向する縦片部７２，７４の突部７２１，７４１を形成し、縦片部７１，７３の突部７１１，７３１の構成を省略してもよい。この場合には、スリーブジョイント７０の突部７２１，７４１がホロー形成部６５の内面に当接することで、カーテンウォールユニット１０Ａ，１０Ｂの縦枠６０同士の面内方向における遊びを減少できる。
【００４７】
さらに、スリーブジョイント７０Ａ，７０Ｂの一方または双方の突部７１１，７２１，７３１，７４１のすべての構成を省略してもよい。
例えば、スリーブジョイント７０Ｂの突部７１１，７２１，７３１，７４１の構成を省略した場合には、当該スリーブジョイント７０Ａによってカーテンウォールユニット１０Ａ，１０Ｂ同士の位置決めを行い、当該スリーブジョイント７０Ｂとホロー形成部６５との遊びによってカーテンウォールユニット１０Ａ，１０Ｂ間に製作誤差や位置誤差などに対応でき、カーテンウォールユニット１０Ａが傾き等によってスリーブジョイント７０Ａ，７０Ｂに引っ掛かることを低減できる。
また、例えば、スリーブジョイント７０Ａの突部７１１，７２１，７３１，７４１の構成を省略した場合には、当該スリーブジョイント７０Ｂによってカーテンウォールユニット１０Ａ，１０Ｂ同士の位置決めを行い、当該スリーブジョイント７０Ａとホロー形成部６５との遊びによってカーテンウォールユニット１０Ａ，１０Ｂ間に製作誤差や位置誤差などに対応でき、カーテンウォールユニット１０Ａが傾き等によってスリーブジョイント７０Ａ，７０Ｂに引っ掛かることを低減できる。
【符号の説明】
【００４８】
１…カーテンウォール、１０（１０Ａ，１０Ｂ）…カーテンウォールユニット、１１…ガスケット、１２…水密材、１３…気密材、１５…耐火パネル、１８…ガスケット、２…建物、２０…枠体、２１，２２…パネル、３…梁、３０…上枠（上横枠）、３１…上枠本体、３１１，４１１，６４１…パネル対向片部、３１２，４１２…内側見込み片部、３１３，４１３…外側見込み片部、３１３Ａ…立上り片部、３１４，４１４，６５１…室内見付け片部、３１５，４１５，６４２…係合片部、３２，４２，６２…押縁、４…床スラブ、４０…下枠（下横枠）、４１…下枠本体、４１３Ａ…垂下片部、４３…外気導入口、４５，６７…等圧空間、５…吊り天井、５０…無目、６０…縦枠、６１…縦枠本体、６３…縦枠見込み片部、６３１，６３２…装着部、６４…パネル受け部、６４３…ガスケット保持具、６５…ホロー形成部、６５Ａ…ホロー部、６６…取付けねじ、７０（７０Ａ，７０Ｂ）…スリーブジョイント（ジョイント部材）、７１〜７４…縦片部、７１１，７２１，７３１，７４１…突部、７５…上端面、７６…傾斜面、８１…ブラケット、８２…裏板、８３…取付けボルト、８４…固定ボルト、８５…高さ調整ねじ、９０…ファスナー、９１…長孔。
【図１】
2017106198.tif 000003
【図２】
2017106198.tif 000004
【図３】
2017106198.tif 000005
【図４】
2017106198.tif 000006